(57)【要約】  中間ソール体（１０）は、踵部（１６）にエアー入口開口（２２）を、そして、中間足部（２４）及び／又は、丸く膨らんだ部分／つま先部（２６）にエアー出口開口（２８）を持つ。エアー入口開口（２２）は、換気用溝（３０）を介して、エアー出口開口（２８）に接続されている。当該換気用溝はカバーによって覆われており、このカバーは張力がかかった歩行中にアウトソールの方向において伸縮自在な可撓性のものである。当該靴は、歩行中にシューソールを持つ靴の軸転運動、及び、熱がシューソールから除去されることによって強制的に換気される。
2012500071.tif 000002
【特許請求の範囲】
【請求項１】
踵領域（１６）上を延在する中間ソール体（１０）と、
中間足領域（２４）、並びに丸く膨らんだ部分／つま先の領域（２６）を持つ中間ソール（１２）と、アウトソール（４４）と、を備えたシューソールであって、
前記中間ソール体（１０）は、
前記踵領域（１６）に少なくとも１つのエアー入口開口（２２）と、
前記中間足領域（２４）、及び／又は、前記丸く膨らんだ部分／つま先の領域（２６）にエアー出口開口（２８）と、さらに、換気用溝（３０）を持ち、
該換気用溝（３０）は、前記エアー入口開口（２２）を前記エアー出口開口（２８）に接続し、かつ、カバー（５２）の手段によって前記アウトソール（４４）から離れて対向する側の上を覆い、
並びに、該カバー（５２）は、歩行中に負荷がかかるときに前記アウトソール（４４）の方向において伸縮自在な弾性体であることを特徴とするシューソール。
【請求項２】
請求項１に記載のシューソールであって、
歩行方向（Ｌ）から見て、前記踵領域（１６）の後方部（１４）において、
前記外側面（２０）と前記内側面（１８）の両方の上にそれぞれエアー入口開口（２２）があり、かつ、前記中間足領域（２４）、及び／又は、前記丸く膨らんだ部分／つま先の領域において、外側面と内側面の両方の上にエアーで出口開口（２８）がある
ことを特徴とするシューソール。
【請求項３】
請求項２に記載のシューソールであって、
前記換気用溝（３０）は、前記踵領域（１６）においてＶ字形状の踵部（３２）を持ち、
この踵部（３２）はその脚部（３４）を備えて前記エアー入口開口（２２）を導き、かつ、
前記換気用溝（３０）は、前記中間足領域（２４）、或いは前記丸く膨らんだ部分／つま先の領域で分配部（３６）を持ち、
該分配部（３６）は踵部（３２）に隣接して、中央主溝部（３８）及び枝分かれ溝部（４０）を持ち、
該枝分かれ溝部（４０）は中央主溝部から横方向に枝分かれし、かつ前記エアー出口開口（２８）に延びることを特徴とする請求項２に記載のシューソール。
【請求項４】
請求項１又は２に記載のシューソールであて、
前記換気用溝（３０）は２つの主溝部（３８´）を持ち、これらは、少なくとも実質的に前記シューソール（Ｓ）の長手方向に延びており、かつ、前記エアー入口開口（２２）に接続され、並びに、
枝分かれ溝部（４０）は前記主溝部（３８´）の１つから前記外側エアー出口開口（２８）まで枝分かれし、かつ、前記主溝部（３８´）の他の１つから前記内側エアー出口開口（２８）まで枝分かれしていることを特徴とするシューソール。
【請求項５】
請求項１から４のいずれかに記載のシューソールであって、
前記カバー（５２）はインソール（５４）を持ち、該インソールは好ましくはエアー透過可能な担持層（５８）を持ち、かつ、前記中間ソール体（１０）に対向する該担持層（５８）の面上に伸縮自在の弾性の支持層（６４）を持つことを特徴とするシューソール。
【請求項６】
請求項５に記載のシューソールであって、
前記支持層（６４）は、複数の支持用要素（６０）を持ち、該支持用要素（６０）は好ましくは二重の円錐体として形成され、かつ、これらは互いから一定距離、離れて配置されており、かつ、前記担持層（５８）から突出しており、かつ、前記中間ソール（１２）上で支持されていることを特徴とするシューソール。
【請求項７】
請求項５に記載のシューソールであって、
前記支持層（６４）は複数の波状に形成された支持用ストリップ（６２）を持ち、この支持用ストリップ（６２）は前記担持層（５８）から突出しかつ前記中間ソール（１２）上で支持されることを特徴とするシューソール。
【請求項８】
請求項５に記載のシューソールであって、
前記支持層（６４）は編まれたスペーサ繊維体（６６）を持ち、このスペーサ繊維体（６６）は前記中間ソール（１２）上に支持されることを特徴とするシューソール。
【請求項９】
請求項１から８のいずれかに記載のシューソールであって、
柔軟な踵部（４８）は前記中間ソール体（１０）の踵凹部（４６）に配置され、
負荷のない状態では、アウトソール（４４）は、前記中間ソール体（１０）及び柔軟踵部（４８）によって前記シューソール（Ｓ）の長手方向において凸状態で丸められた形態に維持され、かつ、
前記中間ソール（１２）は、前記踵領域（１６）及び前記中間足領域（２４）において、補強用要素（８６）を持ち、該補強用要素（８６）は、前記中間ソール（１２）が、前記柔軟な踵部（４８）の上方に位置付けられる部分で、起立中及び歩行中に少なくとも実質上負荷に対し曲げ剛性があることを特徴とするシューソール。
【請求項１０】
請求項９に記載のシューソールであって、
前記補強用要素（８６）は前記中間ソール体（１０）と一体化し、かつ前記換気用溝（３０）用の溝状の凹部（９６）を持つことを特徴とするシューソール。
【請求項１１】
請求項４及び９のいずれかに記載のシューソールであって、
該シューソールの横断方向において、前記中間ソール体（１０）における補強用要素（８６）は中央領域に配置され、かつ前記主溝部（３８´）の１つが前記補強用要素（８６）の各側に延びていることを特徴とするシューソール。
【請求項１２】
請求項１１に記載のシューソールであって、
平面図で好ましくはＵ字形状にされている換気用挿入要素（６８）は前記中間ソール体（１０）に統合され、かつ、断面がＵ字状の溝壁（７４）を備えた前記主溝部（３８´）を定め、かつ、前記踵領域（１６）において前記溝壁（７４）から突出するエアー入口用の筒のスタブ（８２）を持ち、かつ、前記主溝部（３８´）に流体接続されており、エアー出口筒のスタブ（８４）は、中間足領域（２４）、及び／又は、丸く膨らんだ部分／つま先の領域（２６）において前記溝壁から突出し、かつ、前記主溝部（３８´）に流体接続されていることを特徴とするシューソール。
【請求項１３】
請求項１から１２のいずれかに記載のシューソールと該シューソール上に配置されたシューの甲（５６）を備えた歩行用具。
【発明の詳細な説明】
【技術分野】
【０００１】
本願発明は、請求項１のプリアンブルに従うシューソール及び請求項１３に従うシューソールを備えた歩行用具に関連する。
【背景技術】
【０００２】
歩行用具のための特別なシューソールは、「マサイ  ベアフット  テクノロジー（Ｍａｓａｉ  Ｂａｒｅｆｏｏｔ  Ｔｅｃｈｎｏｌｏｇｙ）」、省略するとＭＢＴの名称によって知られており、スイス  マサイ（Ｓｗｉｓｓ  Ｍａｓａｉ）というラベルでも知られている。
ＭＢＴの特徴的な外観は、歩行方向において凸状に丸められているシューソールの形態である。これは、「マサイ  センサー（Ｍａｓａｉ  Ｓｅｎｓｏｒ）」として知られ、挿入されかつ柔軟な踵部を持つ。
シューソールの中間は補強要素を備える。これはシューソールに統合化されている「シャンク」として知られており、「シャンク」は柔軟なヒール部の上方部分でさえ実質的に曲げ剛性があるように中間ソールを補強する。このため、故意に柔らかくかつ安定化しない態様で作用させるＭＢＴ歩行用具のシューソールは、足が生理学上の運動の特徴である保持及び支持を失うことを意味する。この構造は、体位及び支持用の筋系の主要部分に衝撃を与える。安定化した立ち位置を維持しようとするとき、これらに絶えず必要とされる最小限補償するための足筋系の動き及びその適合性を考慮して、ＭＢＴ歩行用具を装着することの、骨格の永続的な連携の訓練と仕事の追加部分を実行する効果を達成する。特に、怠けた筋肉がトレーニングされ、姿勢及び足取りのパターンが進化され、かつ、身体が強健かつシャープにされる。さらに、ＭＢＴ歩行用具を装着することで、尻及び膝の関節を解放させるばかりでなく、背中、尻、脚若しくは足の不快感、関節、又は、筋肉、靭帯若しくは腱の損傷を緩和させる。一方、ＭＢＴ歩行用具は、血の循環の改善、その結果として足温を導くが、一方で、シューソールはかなりの厚さを有し、それに対応し良好な断熱性を持つ。そのため、熱を除去することに伴って、より可能なシューソールを提供する要請がある。
【０００３】
異なる構造のシューソール、特に運動靴のためのシューソールにも同様な要請がある。例えば、アディダス（登録商標）社からの「クライマクール（ＣｌｉｍａＣｏｏｌ）」シリーズの靴は、ソールの上にエアー開口を持つ。
【発明の概要】
【発明が解決しようとする課題】
【０００４】
本願発明の目的は、改善された熱除去特性を持つシューソールを提供することである。
【課題を解決するための手段】
【０００５】
上記目的は、請求項１の特徴を持つシューソールによって達成される。
【０００６】
中間ソール体は、踵領域に少なくとも一つのエアー入口開口、並びに、中間足領域、及び／又は、丸く膨らんだ部分／つま先領域にエアー出口開口を持つ。エアー入口開口及びエアー出口開口は、換気用溝の手段によって互いに接続される。換気用溝の手段は、中間ソール体の側面上のカバーによって覆われる。この中間ソール体はアウトソールから離れて対向し、すなわち、前記中間ソール体の上部側面上に面を形成している。このカバーは、歩行中に負荷がかかっているときに、アウトソールの方向において伸縮自在な弾性体である。カバーは弾性体なので、カバーは負荷が解放されると再び元の形態に戻る。
【０００７】
その結果、歩行中の軸転運動は不可避的にシューソール内のエアーの一定の交換を生じさせ、かつ、このことが熱の発散を改善させる。それにより、強制化されるエアー換気は、エアー入口開口を通過し、シューソールに入り、かつエアー出口開口を再び通り過ぎるという効果を持ち、よって、足下で熱をもったエアーの堆積を反作用で打ち消す。換気用溝において熱くなったエアーは、連続的な軸転運動に対応するように踵が降ろされると、ソール又はカバーの圧縮力によってエアー出口開口を通過して強制的な力が加えられる。軸転運動の過程で、踵領域は負荷から開放される。このことによって、エアー入口開口を介して換気用溝に吸い込まれる新鮮なエアーを導く。この単純な機械的原理に最適な軸転運動及び関連する最適なエアー換気は、請求項９によるシューソールを用いて達成される。従来のシューソールでは、このような効率的なエアー換気が達成可能であるようには思えない。
【０００８】
さらに、本発明によるシューソールの好適実施形態は、他の従属請求項において規定される。
【図面の簡単な説明】
【０００９】
本発明は、図示されて例示された実施形態を基に、より詳細に説明される。図は単純で概略的なものである。
【図１】図１は、踵領域に二つのエアー入口開口を備えた、本発明によるシューソールの中間ソール体の平面図を示す。このエアー入口開口は、中間足領域と、丸く膨らんだ部分／つま先の領域の内側と外側のエアー出口開口に、換気用溝を介して流体接続されている。
【図２】図２は、アウトソールの方向に延在しかつ中間ソール体の上に形成されるエアー入口開口及びエアー出口開口を備えた、本発明によるシューソールの側面図である。ここで、中間ソール体は踵凹部を有し、そこでは、柔軟な踵部が形成されている。
【図３】図３は、同様に、中間ソール体の踵凹部に形成された柔軟な踵部と、エアー入口開口及びエアー出口開口を備えた、同様の本発明によるシューソールであるが、これは中間ソール体の上部周辺領域に配置されている他の実施形態の側面図を示す。
【図４】図４は、エアー透過可能な担持層と、末端の方から突出する二重の円錐形の弾力性のある支持要素を備える換気用溝のためのカバーの好適実施形態の透視図である。
【図５】図５は、図４のものと同一視される図であるが、同様に、エアー透過可能な担持層を持つが、弾性変形可能な、波形状の支持用ストリップがその担持層から突出しているカバーの他の好適実施形態である。
【図６】図６は、図４及び図５と同一視される図であるが、編まれたスペーサ用繊維として形成された支持層とエアー透過可能な担持層を備えた上記カバーのさらに特別な好適実施形態を示す。
【図７】図２によるシューソールの実施可能な実施形態の分解立体図を示す。
【図８】図２によるシューソールの他の実施可能な実施形態の側面図を示す。
【図９】図８によるシューソールの平面図を示す。ここでは、中間ソール体は透明であり、かつ、換気用溝は灰色で色付けされて示されている。
【図１０】図１０は、図８及び９による実施形態の補強用要素の透視図である。
【発明を実施するための形態】
【００１０】
図１は、中間ソール１２の中間ソール体１０の平面図を示す。中間ソール体１０は、踵領域１６の歩行方向Lから見て、シューソールの内側面１８とシューソールの外部面２０の両方の上で、後方部１４に、各エアー入口開口２２を持つ。シューソールの内側面１８は、一対のその他のシューソールに対向する面を意味するものとして理解されるべきであり、かつ、シューソールの外側面２０は、そこから離れて対向するシューソールの側面部を意味するものとして理解されるべきである。
【００１１】
さらに、中間ソール体１０は、中間の足領域２４と各場合における丸く膨らんだ部分／つま先の領域２６であって、シューソールの内側とシューソールの外側の両方の上に５つのエアー出口開口２８を備えている。歩行方向Lから見て、中間足領域２４は踵領域１６に隣接し、かつ、丸く膨らんだ部分／つま先領域２６は中間足領域２４に隣接する。これらの領域のそれぞれはシューソールの長さの約３分の１より長く延在している。
【００１２】
エアー入口開口２２及びエアー出口開口２８は、中間ソール体１０の中央をへこませることによって形成される換気用溝３０を介して互いに接続される。この溝は、踵領域１６において、V形状に配置された２つの脚部３４を備える踵部３２を持つ。これらの脚部３４のそれぞれは、２つのエアー入口開口２２のいずれか１つを導く。踵部３２に隣接して、換気用溝３０は分配部３６を持ち、その主な溝部３８は、踵部３２の脚部３４に流体接続されており、かつ、靴Sの長手方向において丸く膨らんだ部分／つま先領域２６まで延びている。靴Sの長手方向に対し直角の方向から見て、主な溝部３８は、シューソールの内側面１８の方向において、靴の長手方向の中央に対してオフセットされ、内側の足の甲の下に延びている。
【００１３】
枝状溝部４０は、主溝部３８の両側から枝分かれしている。これらの枝状溝部４０のそれぞれはエアー出口開口２８の一つへ延びている。
【００１４】
エアー入口開口２２とエアー出口開口２８の両方は、好ましくは少なくとも４ｍｍの幅を持ち、かつ、静止状態の当該幅の、好ましくは２倍の長さを持つ。対応するように、換気用溝３０はまた、靴の上底側の上であって上部表面４２に対し直角の方向に測定されると、前記表面に対して好ましくは少なくとも４ｍｍの深さを持つ。換気用溝３０の幅は、あらゆる箇所で上記深さよりも好ましくは広くされており、さらに好ましくはその深さの少なくとも２倍である。
【００１５】
表面４２の側部では、換気用溝３０は伸縮自在の弾性体のカバー５２によって覆われている。これは、図１では示されていないが、その好適実施形態は図４から６に関連して記載されている。
【００１６】
図２は、シューソールの中間ソール１２の側面図を示す。この中間ソール１２の中間ソール体１０は踵領域１６の後方部１４の両側のそれぞれにエアー入口開口２２を備えており、かつ、中間足領域２４と丸く膨らんだ部分／つま先領域２６にエアー出口開口２８の全体を備えている。そして、これらは、靴Ｓの長手方向において１つの後にその他の一つといったように連続して配置され、かつそれらの斜面が付けられた方向と長さの結果から、瓦状に重なり合っている。エアー入口開口２２及びエアー出口開口２８は、図１に対応する方法で、換気用溝３０によって互いに流体接続されている。この換気用溝は両側に４つの枝状溝部４０を持つ。
【００１７】
中間ソール体１０は、アウトソール４４に面する下部面上の踵のところに凹部４６を持ち、そこには柔軟な踵部４８が配置される。靴Ｓの長手方向から見て、この柔軟な踵部は、踵領域１６の後方部１４から中間ソール１２の略中央に向けて延在し、かつ、凹凸レンズの態様で、少なくとも実質上一定の断面を備えた中間ソール１２の全幅にわたり延びている。負荷のない状態では、柔軟な踵部４８及び中間ソール体１０は一定の形態でアウトソールを保持し、かかる一定の形態ではシューソールＳの長手方向において連続した凸状の態様で丸められている。これはＭＢＴ歩行用具によって一般に知られているようなものである。柔軟な踵部４８は約２０ｍｍで最も厚い。結果として、中間ソール体１０の最も厚いところは約３０ｍｍである。
【００１８】
中間ソール体１０は周辺ビード５０を持つ点が言及されるべきである。この周辺のビード５０は表面４２に対して上向きの方向に突出している。他方、ビードは中間ソール１２をシューズの甲５６に締結するように機能し、かつ、一方、前述のカバー５２は表面４２及びビード５０により定められた凹部に配置されている。
【００１９】
柔軟な踵部は好ましくは連続気泡のポリウレタンエラストマーフォーム（ピュア  ショア  ３０  Ｃ（ＰＵＲ  Ｓｈｏｒｅ  ３０  Ｃ））から製造され、かつ、中間ソール体１０は、ポリウレタンエラストマー（ピュア  ショア  ５８  Ｃ）又はエチレンビニルアセテート（ＥＶＡ）から製造される。このことは示されるすべての実施形態に適用する。図３は、シューソールの中間ソール体１２を示す。これは図２によるものと同一に形成されるが、エアー入口開口２２とエアー出口開口２８を備え、これらは、中間ソール体１０の上部周辺領域において、もう一方の後ろで、一列に延びかつオーバル形状である。ここでも、さらに、エアー入口開口２２及びエアー出口開口２８は、対応する換気用溝３０を介して互いに接続されている。
【００２０】
換気用溝３０のための弾性変形可能なカバー５２は好ましくはインソール５４によって形成される。インソール５４は、中間ソール体１０の上部面４２上に配置され、かつ、ビード５０又はその上部が中間ソール体１０に締結されている限り、面全体に延在し、かつ、ビード５０に対し横たわる。
【００２１】
図４に示されるインソール５４の実施形態では、上部にエアー透過可能な担持層５８を備え、そこから中間ソール体１０の方に向かって嵌合されて、支持用要素６０が下方向に突出する。中間ソール体１０は、格子パターンで互いにある一定の距離をもって配置されている。これらの支持用要素は、好ましくは、二重の円錐体として形成されかつ弾性の合成材料から製造される。これらの長さ部において、最適にはこれらは中間ソール体１０の凹部に一致する。嵌合された状態では、それらは、中間ソール体１０上の自由端と共に安定状態にある。
【００２２】
インソール５４のさらなる実施形態は、図５に示されている。それは、同様にして、上部にエアー透過可能な担持層５８を備える。波状かつ弾性変形可能な支持用ストリップ６２は下に向かう方向でそれから突出している。これらのストリップは好ましくは面の状態に延びており、係る面は担持層５８と直角かつ互いに平行に延在している。嵌合された状態で、支持用ストリップ６２は、中間ソール体１０上で担持層５８から離れて対向する波頭と共に存在する。支持用要素６０又は支持用ストリップ６２は、結果として担持層５８のための伸縮自在の弾性のある支持層６４を形成する。
【００２３】
図６に示されているインソール５４の特に好ましい実施形態の場合には、支持層６４は編まれたスペーサ用繊維体６６の形態で作製される。その上部面は、エアー透過可能な担持層５８を形成しかつ弾性変形可能な積み重ねられた糸を形成する。この糸はスペーサ糸として知られており、それらから下の方向に延びている。このタイプの編まれた繊維体は、例えば、ミューラー  テクスタイル  ゲーエムベーハー社（Ｍｕｌｌｅｒ  Ｔｅｘｔｉｌ  ＧｎｂＨ）、ヴィール−トラベンデルホーヘ（Ｗｉｅｈｌ−Ｄｒａｂｅｎｄｅｒｈｏｈｅ）（ドイツ国）所在、によって製造され、”３メッシュ”の名称で商取引されている。スペーサ繊維体６６の実施形態で実現されているものは、例えば、欧州公開公報１７７５  ３６２Ａ及び欧州公開公報１８６０  ２１８Ａで開示されている。
【００２４】
図２によるシューソールの好ましい実施形態の分解斜視図は、図７に示されている。中間ソール体１０は踵用凹部４６を備えている。柔軟な踵部４８はこの場合には空間を充填する、踵用凹部４６に挿入される。ＭＢＴ歩行用具から知られているように、アウトソール４４は中間ソール体１０及び柔軟な踵部４８に締結される。その結果、図２と図３を比較すると分かるように、それは凹部形状に維持される。例えば、それはゴムからなり、かつ５５から６５のショアーＡ硬度（Ｓｈｏｒｅ  Ａ  ｈａｒｄｎｅｓｓ）を持つ。
【００２５】
換気用挿入要素６８、これは図７で中間ソール体１０から脱着されるように示されているが、これは、中間ソール体に統合化される。平面図で観察すると、換気用挿入要素６８は、Ｕ字形状を持つ。そして２つの平行な脚７０、７０’はシューソールＳの長手方向に延びかつ弧状部７２を介して歩行方向Ｌに観察される、後方端部に互いに接続されている。２つの脚７０、７０’及び弧状部７２は、Ｕ形状の溝壁７４の断面、この溝壁７４、脚７０、７０’の領域における境界、及び各主溝部３８’によって形成されている。脚７０、７０’及び弧状部７２はアウトソール４４から離れて対向する側の上方向に開かれている。溝壁７４は内側壁部７８及び外側壁部８０ばかりでなく底部７６を形成する。これらの２つの壁部７８、８０は上方向において底部７６から突出している。換気用挿入要素６８の統合化された状態では、壁部７８、８０の露出された上方周辺部は中間ソール体１０の上方表面４２と並んでいる。踵領域１６では、Ｕ形状の断面の深さが壁部７８の開放された周辺部から測定される。さらにまた壁部７８、８０は好ましくは、少なくとも８ｍｍの互いに離れた距離にある。中間足領域２４では、上記深さは、踵凹部４６の形態に対応する方法で深くなり、かつ歩行方向Ｌに沿って正面の端部の方向で連続して浅くなる。
【００２６】
弧状部７２、これは統合化された状態では、踵領域１６の後方部１４に横たわるようになるが、各エアー入口管のスタブ８２は、シューソールの内側面１８の方向及びシューソールの外側面２０の方向において、外側壁部８０から突出する。これらのスタブは主溝部３８’と流体接続されており、かつ、これらの外側自由端はエアー入口開口２２を形成する。
【００２７】
対応するように、中間足領域２４と丸く膨らんだ部分／つま先領域２６において、エアー出口の筒のスタブ８４は、外側に向かう方向において外側壁部８０から突出する。これらはまた、割り当てられた主溝部３８´と流体接続され、枝分かれした溝部４０を形成し、かつ、それらの自由端でエアー出口開口２８を形成する。換気挿入要素６８は好ましくは射出成形プロセスによって、８５のショアーＡ  硬度を持つＴＰＵから好ましくは製造される。
【００２８】
図７はさらに補強用要素８６を示す。この補強用要素８６は少なくとも踵領域１６及び中間領域２４において、柔軟な踵部４８の上方に配置されたその部分における、中間ソール１２が、起立中と歩行中における負荷に対して少なくとも実質的な曲げ剛性があるような安定性を持つ。それが、中間ソール体１０に統合化された状態では、補強用要素８６は、換気用挿入要素６８によって囲まれる。シューソールＳの長手方向に直角の方向で観察されるように、補強用要素８６は、結果として中間ソール体１０の中央領域に位置づけられる。２つの主溝部３８´のうち１つはシューソールの内側面１８の方向に配置されかつもう１つはシューソールの外側面２０の方向に配置される。
【００２９】
補強用要素８６、これは同様に、射出成形プロセスによって好ましくは製造されるが、これは上部の、舌形状にされた板状の担持部８８及びこの担持部から下方に向かう方向に突出するＶ形状の支持部９０を持つ。担持部８８と支持部９０の両方は、２重壁の形態である。この２つの壁はそれぞれリブ９２を介して互いに固着されて接続されている。それが中間ソール体１０に統合化されている状態では、図７の中間ソール体１０が示すように、担持部８２は表面４２の近くに横たわっている。
【００３０】
ここでは、補強用要素８６はすでに中間ソール体１０に統合されている。それは、歩行方向Ｌの前方の弧状部７２における内側壁部７８から丸く膨らんだ部分／つま先の領域２６の正面部内へと、２つの脚７０、７０’の間に延在している。補強用要素８６は、好ましくは強靭に形成され、かつ、例えば踵領域１６及び中間足領域２４ではナイロン１２から製造される。一方、それはフレキシブルに形成され、例えば丸く膨らんだ部分及び／又はつま先の領域２６ではＴＰＵからなる。
【００３１】
支持部９０は同様に安定した状態に形成される。支持部９０の歩行方向Ｌで観察されるように、後方の脚部９０´は踵の凹部４６に対応する方法で形造られており、かつ、踵の凹部４６の歩行方向Ｌで観察されるように、この後方脚９０´が正面端部の後方の脚部９０´´に合致する。ここではそれは傾斜用エッジ９４を形成する。
【００３２】
予め組立てられている補強用要素８６及び予め組立てられている換気用挿入要素６８は、中間ソール体１０の射出成形のための射出型のキャビティに配置されており、例えば、ピュア  ショア  ５８Ｃの射出が、型が中間ソール体１０を成形するために閉じられた後で起こる。この場合には、射出成形は溝壁７４のための支持用リブを持ち、かつ、エアー入口チューブ状のスタブ８２及びエアー出口の筒のスタッブ８４に係合しながら滑る。これは、換気用挿入要素６８が中間ソール体１０の射出成形の間に圧縮されることを防止するためである。
【００３３】
分解図された表現の結果として、図７に示された中間ソール体１０は、換気用挿入要素６８と一致するように形成される凹部及びクリアランスを持つ。
【００３４】
さらに、図７はインソール５４を示す。インソール５４はカバー５２を形成し、中間ソール体１０によって形成された表面４２の上に存在し補強用要素８６並びに外側壁部８０及び内側壁部７８の露出面を形成する。
【００３５】
その周辺の周りは、インソール５４は比較的高いビード５０によって囲まれている。インソール５４の担持層５８は、靴の上底の態様で好ましくは形成されかつ対応して支持層６４の厚さに適合される。さらに、表面４２は外側壁部８０とビード５０の間に、連続するストリップ状の表面部４２´を、シューソールの内部面１８とシューソールの外部面２０の両方の上に持つ。その結果、支持層６４は中間ソール体１０の長さ全体にわたる広い中間部分に、補強用要素８６を介してビード５０に沿って周辺を囲むように支持される。
【００３６】
図８及び９は、図２又は３に記載の中間ソール１２のための補強用要素８６のさらなる採用可能な実施形態を示す。それは、図１に対応した換気用溝３０を備えて形成される。
【００３７】
図１０では、補強用要素８６は、上方斜め方向から表現された透視図に示されている。その働きは、ＭＢＴ歩行用具から知られかつ図７による実施形態と関連して上述されたものと正確には全く同じである。図８及び９では、中間ソール１２の外観が示されている。そして、補強用要素８６が暗色で示されている。
【００３８】
踵領域１６では、シート状の補強用要素８６が、踵の凹部４６に沿って中間ソール体１０、そして、中間足領域２４、そして、丸く膨らんだ部分／つま先の領域２６の後方部に延びている。これらは歩行方向Ｌにおいて観察される。また、シート状の補強用要素８６は、換気用溝３０の下方の一定距離において中間ソール体１０の内側で延びている。踵の凹部４６と表面４２の間の中間ソール体１０の壁の厚さは中間足領域２４及び丸く膨らんだ部分／つま先の領域２６におけるそれよりも踵領域１６におけるそれの方がかなり薄いので、ＭＢＴ歩行用具から知られている補強用要素８６の挿入は踵部３２における換気用溝３０の不適切な深さを導きうるであろう。このことは図９から特に明らかである。図９では、換気用溝３０は、色付けされた灰色で示されている。上述の欠点を克服するために、補強用要素８６は、踵領域１６において溝状の凹部９６を持つ。凹部９６は平面図ではＶ形状であり、かつ、踵部３２に対応する。それにもかかわらず、補強用要素８６の必要な曲げ剛性を確実にするために、補強用要素８６は、例えば、クリアランス９８を互いから分離するウェブ１００に沿って下側面に延びる支持用リブを持つ。たとえ、それらが柔軟な踵部４８の中に突出したとしても、それらは低いため、それらはシューソールの挙動やその特性を変えない。また、より安定的な材料から踵領域１６における補強用要素８６を形成することも可能である。
【００３９】
図７によるシューソールの場合には、換気用挿入要素６８を使うのではなく、主溝部３８´や射出成型から作製されたリブによる弧状部７２における主溝部３８´の接続部を形成するための凹部を成型し、かつ、スライド動作によって中間ソール体１０上に直接枝分かれした溝部を成型するものと考えられる。
【００４０】
図に示されかつ上述されたシューソールでの歩行中、踵領域１６が一歩の間に置かれると、他方、柔軟な踵部４８が圧縮されるが、これはユーザの体の上のショックを大いに低減し、かつ、他方で踵領域１６におけるカバー５２はまた中間ソール体１０の方向に変形される。このことは、中間ソール１０及びカバー５２或いはその担持層８によって定められかつエアーで充たされる断面における局所的なくびれ部を導く。地上における軸転運動の結果として、このくびれた断面は中間足領域２４を越えて丸く膨らんだ部分／つま先の領域２６中へと歩行方向Ｌにおいて変位される。踵領域１６から丸く膨らんだ部分／つま先の領域２６中へのくびれのこの位置移動は、エアー出口開口３８を介して換気用溝３０からのエアーの圧出を導き、一方、傾きエッジ９４又は踵の凹部４６の正面端部で中間ソール体によって形成された傾きエッジの周囲で傾けられた後、カバー５２又はインソール５４は踵領域１６の負荷から解放される。このことは、カバー５２又はインソール５４の弾性の結果、くびれ部の後ろに再び断面を広げることを導く。これによって、新鮮なエアーがエアー入口開口２２を介して換気用溝３０内へと吸い込まれる。その結果、歩行中、エアーは純粋に機械的原理を基にして換気時の態様でシューソール１２を通過させられる。このように暖められたエアーはエアー出口開口２８を介して排出され、かつ、涼しいエアーがエアー入口開口２２を介して吸い込まれる。
【００４１】
カバー５２又はインソール５４がエアー透過可能な形態ならば、涼しいエアーはさらにそれに対応してユーザの足に対して作用される。
【図１】
2012500071.tif 000003
【図２】
2012500071.tif 000004
【図３】
2012500071.tif 000005
【図４】
2012500071.tif 000006
【図５】
2012500071.tif 000007
【図６】
2012500071.tif 000008
【図７】
2012500071.tif 000009
【図８】
2012500071.tif 000010
【図９】
2012500071.tif 000011
【図１０】
2012500071.tif 000012
【手続補正書】
【提出日】平成23年6月20日(2011.6.20)
【手続補正１】
【補正対象書類名】特許請求の範囲
【補正対象項目名】全文
【補正方法】変更
【補正の内容】
【特許請求の範囲】
【請求項１】
踵領域（１６）上を延在する中間ソール体（１０）と、中間足領域（２４）と、丸く膨らんだ部分／つま先の領域（２６）と、アウトソール（４４）と、を備えた中間ソール（１２）を持つシューソールであって、
前記中間ソール体（１０）は、
シューソール内側（１８）上及び前記踵領域（１６）における前記シューソール外側（２０）上の両方にそれぞれエアー入口開口（２２）を持ち、
丸く膨らんだ部分／つま先の領域（２６）に開口を持ち、かつ、さらに換気用溝（３０）を持ち、
該換気用溝（３０）は、前記エアー入口開口（２２）を前記開口に接続し、かつ、カバー（５２）の手段によって覆われているシューソールにおいて、
前記中間ソール体（１０）は、
前記開口に対応して前記中間足領域（２４）、及び／又は、前記丸く膨らんだ部分／つま先の領域（２６）にエアー出口開口（２８）を持ち、
並びに、該カバーは、歩行中に負荷がかかるときに前記中間ソール（１２）の方向において伸縮自在な弾性体であることを特徴とするシューソール。
【請求項２】
請求項１に記載のシューソールであって、
歩行方向（Ｌ）から見て、後方部において、前記エアー出口開口があることを特徴とするシューソール。
【請求項３】
請求項２に記載のシューソールであって、
前記換気用溝（３０）は、前記踵領域（１６）においてＶ字形状の踵部（３２）を持ち、
この踵部（３２）はその脚部（３４）を備えて前記エアー入口開口（２２）を導き、かつ、
前記換気用溝（３０）は、前記中間足領域（２４）、或いは前記丸く膨らんだ部分／つま先の領域で分配部（３６）を持ち、
該分配部（３６）は踵部（３２）に隣接して、中央主溝部（３８）及び枝分かれ溝部（４０）を持ち、
該枝分かれ溝部（４０）は中央主溝部から横方向に枝分かれし、かつ前記エアー出口開口（２８）に延びることを特徴とする請求項２に記載のシューソール。
【請求項４】
請求項１又は２に記載のシューソールであって、
前記換気用溝（３０）は２つの主溝部（３８´）を持ち、これらは、少なくとも実質的に前記シューソール（Ｓ）の長手方向に延びており、かつ、前記エアー入口開口（２２）に接続され、並びに、
枝分かれ溝部（４０）は前記主溝部（３８´）の１つから前記外側エアー出口開口（２８）まで枝分かれし、かつ、前記主溝部（３８´）の他の１つから前記内側エアー出口開口（２８）まで枝分かれしていることを特徴とするシューソール。
【請求項５】
請求項１から４のいずれかに記載のシューソールであって、
前記カバー（５２）はインソール（５４）を持ち、該インソールは好ましくはエアー透過可能な担持層（５８）を持ち、かつ、前記中間ソール体（１０）に対向する該担持層（５８）の面上に伸縮自在の弾性の支持層（６４）を持つことを特徴とするシューソール。
【請求項６】
請求項５に記載のシューソールであって、
前記支持層（６４）は、複数の支持用要素（６０）を持ち、該支持用要素（６０）は好ましくは二重の円錐体として形成され、かつ、これらは互いから一定距離、離れて配置されており、かつ、前記担持層（５８）から突出しており、かつ、前記中間ソール（１２）上で支持されていることを特徴とするシューソール。
【請求項７】
請求項５に記載のシューソールであって、
前記支持層（６４）は複数の波状に形成された支持用ストリップ（６２）を持ち、この支持用ストリップ（６２）は前記担持層（５８）から突出しかつ前記中間ソール（１２）上で支持されることを特徴とするシューソール。
【請求項８】
請求項５に記載のシューソールであって、
前記支持層（６４）は編まれたスペーサ繊維体（６６）を持ち、このスペーサ繊維体（６６）は前記中間ソール（１２）上に支持されることを特徴とするシューソール。
【請求項９】
請求項１から８のいずれかに記載のシューソールであって、
柔軟な踵部（４８）は前記中間ソール体（１０）の踵凹部（４６）に配置され、
負荷のない状態では、アウトソール（４４）は、前記中間ソール体（１０）及び柔軟踵部（４８）によって前記シューソール（Ｓ）の長手方向において凸状態で丸められた形態に維持され、かつ、
前記中間ソール（１２）は、前記踵領域（１６）及び前記中間足領域（２４）において、補強用要素（８６）を持ち、該補強用要素（８６）は、前記中間ソール（１２）が、前記柔軟な踵部（４８）の上方に位置付けられる部分で、起立中及び歩行中に少なくとも実質上負荷に対し曲げ剛性があることを特徴とするシューソール。
【請求項１０】
請求項９に記載のシューソールであって、
前記補強用要素（８６）は前記中間ソール体（１０）と一体化し、かつ前記換気用溝（３０）用の溝状の凹部（９６）を持つことを特徴とするシューソール。
【請求項１１】
請求項４及び９のいずれかに記載のシューソールであって、
該シューソールの横断方向において、前記中間ソール体（１０）における補強用要素（８６）は中央領域に配置され、かつ前記主溝部（３８´）の１つが前記補強用要素（８６）の各側に延びていることを特徴とするシューソール。
【請求項１２】
請求項１１に記載のシューソールであって、
平面図で好ましくはＵ字形状にされている換気用挿入要素（６８）は前記中間ソール体（１０）に統合され、かつ、断面がＵ字状の溝壁（７４）を備えた前記主溝部（３８´）を定め、かつ、前記踵領域（１６）において前記溝壁（７４）から突出するエアー入口用の筒のスタブ（８２）を持ち、かつ、前記主溝部（３８´）に流体接続されており、エアー出口筒のスタブ（８４）は、中間足領域（２４）、及び／又は、丸く膨らんだ部分／つま先の領域（２６）において前記溝壁から突出し、かつ、前記主溝部（３８´）に流体接続されていることを特徴とするシューソール。
【請求項１３】
請求項１から１２のいずれかに記載のシューソールと該シューソール上に配置されたシューの甲（５６）を備えた歩行用具。
【手続補正２】
【補正対象書類名】明細書
【補正対象項目名】０００３
【補正方法】変更
【補正の内容】
【０００３】
異なる構造のシューソール、特に運動靴のためのシューソールにも同様な要請がある。例えば、アディダス（登録商標）社からの「クライマクール（ＣｌｉｍａＣｏｏｌ）」シリーズの靴は、ソールの上にエアー開口を持つ。
ドイツ国実用新案登録７６１２５２４号公報（DE 76 12 524 U1）は、足を受け入れるシューズの甲、及びそこに取り付けられ、かつ、底がトレッドの表面と足の甲を支持する表面とを持つ弾性の可塑性材料の一体に成形されたソールを備えた靴を開示する。複数の導管手段が、所定のパターンで内側方向に向けてその周辺エッジを形成するように延びる上記ソール上面に形成される。前記ソールの上面の上に取り付けられた足の支持のためのインソール手段が、前記導管手段と協働し、換気用のエアー導管を形成する。
【国際調査報告】
2012500071.tif 000013
2012500071.tif 000014
2012500071.tif 000015
2012500071.tif 000016
2012500071.tif 000017
2012500071.tif 000018